(57)【要約】【課題】  疎水性の記録媒体への濡れ性が良好な水性インクを用いたインクジェット記録装置のメンテナンス時に、流路の閉塞及びノズル詰まりを抑制可能な洗浄液を提供する。【解決手段】  本発明の洗浄液は、インクジェット記録装置の洗浄に用いられる洗浄液であって、２０℃の水への溶解度が０．２質量％未満である非イオン性界面活性剤と、溶解度パラメータ（ＳＰ値）が１３以上である第１の水溶性有機溶剤と、溶解度パラメータ（ＳＰ値）が１２未満である第２の水溶性有機溶剤と、水と、を含み、下記条件（１）〜（４）を満たす、ことを特徴とする。 条件（１）：Ｘ≧０．１条件（２）：Ａ−Ｂ≧０条件（３）：Ｂ／Ｘ≧１５条件（４）：１０≦Ａ＋Ｂ≦６０Ｘ：前記洗浄液全量における前記非イオン性界面活性剤の含有量（質量％）Ａ：前記洗浄液全量における前記第１の水溶性有機溶剤の含有量（質量％）Ｂ：前記洗浄液全量における前記第２の水溶性有機溶剤の含有量（質量％） 【選択図】  なし【特許請求の範囲】
【請求項１】
インクジェット記録装置の洗浄に用いられる洗浄液であって、
２０℃の水への溶解度が０．２質量％未満である非イオン性界面活性剤と、
溶解度パラメータ（ＳＰ値）が１３以上である第１の水溶性有機溶剤と、
溶解度パラメータ（ＳＰ値）が１２未満である第２の水溶性有機溶剤と、
水と、
を含み、
下記条件（１）〜（４）を満たす、
ことを特徴とする洗浄液。
条件（１）：Ｘ≧０．１
条件（２）：Ａ−Ｂ≧０
条件（３）：Ｂ／Ｘ≧１５
条件（４）：１０≦Ａ＋Ｂ≦６０
Ｘ：前記洗浄液全量における前記非イオン性界面活性剤の含有量（質量％）
Ａ：前記洗浄液全量における前記第１の水溶性有機溶剤の含有量（質量％）
Ｂ：前記洗浄液全量における前記第２の水溶性有機溶剤の含有量（質量％）
【請求項２】
前記第１の水溶性有機溶剤が、グリセリン、ジエチレングリコール及びプロピレングリコールからなる群から選択される少なくとも一つを含む、請求項１記載の洗浄液。
【請求項３】
前記第２の水溶性有機溶剤が、トリプロピレングリコール、１，２−ヘキサンジオール、トリエチレングリコール−ｎ−ブチルエーテル及びトリプロピレングリコール−ｎ−ブチルエーテルからなる群から選択される少なくとも一つを含む、請求項１又は２記載の洗浄液。
【請求項４】
水に不溶性の粒子と、水と、を含むインクジェット記録用水性インクと共に用いられる、請求項１〜３のいずれか一項に記載の洗浄液。
【請求項５】
前記インクジェット記録装置内で、インクジェットヘッド、インク流路、及び、前記インクジェットヘッドのノズル形成面に接触してインクを拭き取るワイパーからなる群から選択される少なくとも一つの洗浄に用いられる、請求項１〜４のいずれか一項に記載の洗浄液。
【発明の詳細な説明】
【技術分野】
【０００１】
本発明は、洗浄液に関する。
【背景技術】
【０００２】
インクジェット記録装置の吐出ノズル及びインク流路用の洗浄液として、様々なものが提案されている。例えば、特許文献１には、染料インクから染料を除いた液を、洗浄液とすることが記載されている。また、特許文献２には、多価アルコール類と、一価アルコール類と、水と、からなるメンテナンス液が、特許文献３には、低級アルコールと、陰イオン性界面活性剤と、水と、からなるメンテナスンス液が、特許文献４には、水溶性キレート化剤と、水と、からなるメンテナンス液が記載されている。
【先行技術文献】
【特許文献】
【０００３】
【特許文献１】特開昭５８−７１１７０号公報
【特許文献２】特開昭６２−１６９８７６号公報
【特許文献３】特開昭６２−１６９８７７号公報
【特許文献４】特開平０１−１４８５５７号公報
【発明の概要】
【発明が解決しようとする課題】
【０００４】
一方、コート紙、フィルム等の吸水性の低い、又は非吸水性（以下、「疎水性」と言うことがある。）の記録媒体に対して良好な濡れ性をもったインクジェット記録用水性インクが求められている。このような水性インクの提供のために、水性インク中に濡れ剤を添加することが考えられる。しかしながら、前記水性インクを用いたインクジェット記録装置において、メンテナンス（吐出ノズル及びそれを拭き取るワイパー、インク流路等の洗浄）を行う場合、前記水性インクの濡れ剤が、相分離を起こし、流路の閉塞やノズル詰まりを引き起こすことがある。
【０００５】
そこで、本発明は、疎水性の記録媒体への濡れ性が良好な水性インクを用いたインクジェット記録装置のメンテナンス時に、流路の閉塞及びノズル詰まりを抑制可能な洗浄液を提供することを目的とする。
【課題を解決するための手段】
【０００６】
前記目的を達成するために、本発明の洗浄液は、
インクジェット記録装置の洗浄に用いられる洗浄液であって、
２０℃の水への溶解度が０．２質量％未満である非イオン性界面活性剤と、
溶解度パラメータ（ＳＰ値）が１３以上である第１の水溶性有機溶剤と、
溶解度パラメータ（ＳＰ値）が１２未満である第２の水溶性有機溶剤と、
水と、
を含み、
下記条件（１）〜（４）を満たす、
ことを特徴とする。
条件（１）：Ｘ≧０．１
条件（２）：Ａ−Ｂ≧０
条件（３）：Ｂ／Ｘ≧１５
条件（４）：１０≦Ａ＋Ｂ≦６０
Ｘ：前記洗浄液全量における前記非イオン性界面活性剤の含有量（質量％）
Ａ：前記洗浄液全量における前記第１の水溶性有機溶剤の含有量（質量％）
Ｂ：前記洗浄液全量における前記第２の水溶性有機溶剤の含有量（質量％）
【発明の効果】
【０００７】
本発明の洗浄液は、前記非イオン性界面活性剤と、前記第１の水溶性有機溶剤と、前記第２の水溶性有機溶剤とを、前記条件（１）〜（４）を満たすように含有することで、疎水性の記録媒体への濡れ性が良好な水性インクを用いたインクジェット記録装置のメンテナンス時に、流路の閉塞及びノズル詰まりを抑制可能である。
【図面の簡単な説明】
【０００８】
【図１】図１は、本発明のインクジェット記録装置の一例の構成を示す模式図である。
【発明を実施するための形態】
【０００９】
本発明において、「２０℃の水への溶解度が０．２質量％である界面活性剤」とは、２０℃の水９９．８ｇに、０．２ｇ溶解する界面活性剤を意味する。
【００１０】
本発明において、「溶解度パラメータ（ＳＰ値）」とは、例えば、Ｆｅｄｏｒｓの方法により、下記式で求められる値であり、単位は、（ｃａｌ／ｃｍ３）１／２である。
ＳＰ値＝（ΣΔｅｉ／ΣΔｖｉ）１／２
Δｅｉ：原子及び原子団の蒸発エネルギー（ｃａｌ／ｍｏｌ）
Δｖｉ：モル体積（ｃｍ３／ｍｏｌ）
【００１１】
本発明の洗浄液は、コート紙、プラスチック、フィルム、ＯＨＰシート等の疎水性の記録媒体への濡れ性が良好なインクジェット記録用水性インク（以下、「水性インク」又は「インク」と言うことがある。）を用いたインクジェット記録装置のメンテナンスに好適に利用可能であるが、これに限定されるものではなく、例えば、普通紙、光沢紙、マット紙等の疎水性の記録媒体以外の記録媒体へのインクジェット記録に好適な水性インクを用いたインクジェット記録装置のメンテナンスにも利用可能である。本発明において、「コート紙」とは、例えば、上級印刷紙、中級印刷紙等のパルプを主要な構成要素とした普通紙に、平滑性、白色度、光沢度等の向上を目的として、コート剤を塗布したものを言い、具体的には、上級コート紙、中級コート紙等があげられる。
【００１２】
本発明の洗浄液について説明する。本発明の洗浄液は、インクジェット記録装置の洗浄に用いられる洗浄液であって、非イオン性界面活性剤と、第１の水溶性有機溶剤と、第２の水溶性有機溶剤と、水と、を含む。
【００１３】
前記非イオン性界面活性剤は、２０℃の水への溶解度が０．２質量％未満である、水にほとんど溶けない疎水性のものである。前記疎水性の非イオン性界面活性剤としては、例えば、市販品を用いてもよい。前記市販品としては、例えば、花王（株）製の「エマルゲン（登録商標）１０８」（ポリオキシエチレンラウリルエーテル）、日信化学工業（株）製の「オルフィン（登録商標）Ｅ１００４」（アセチレングリコール系）、日油（株）製の「ノニオン  ＥＨ−２０４」（ポリオキシエチレン−２−エチルヘキシルエーテル）等があげられる。前記非イオン性界面活性剤は、例えば、２０℃の水への溶解度が０．１質量％未満であってもよい。
【００１４】
前記疎水性の非イオン性界面活性剤は、１種類を単独で用いてもよいし、２種類以上を併用してもよい。前記洗浄液全量における前記疎水性の非イオン性界面活性剤の含有量（Ｘ）については、後述する。
【００１５】
前記洗浄液に含まれる界面活性剤は、前記疎水性の非イオン性界面活性剤のみであってもよい。また、前記洗浄液は、前記疎水性の非イオン性界面活性剤に加え、さらに、前記疎水性の非イオン性界面活性剤以外の界面活性剤を含んでもよい。
【００１６】
前記第１の水溶性有機溶剤は、溶解度パラメータ（ＳＰ値）（以下、「ＳＰ値」と言うことがある）が１３以上である。前記第１の水溶性有機溶剤としては、例えば、グリセリン（ＳＰ値：１７．５）、ジエチレングリコール（ＳＰ値：１４．６）、プロピレングリコール（ＳＰ値：１３．５）等があげられる。
【００１７】
前記第１の水溶性有機溶剤は、１種類を単独で用いてもよいし、２種類以上を併用してもよい。前記洗浄液全量における前記第１の水溶性有機溶剤の含有量（Ａ）については、後述する。
【００１８】
前記第２の水溶性有機溶剤は、ＳＰ値が１２未満である。前記第２の水溶性有機溶剤としては、例えば、トリプロピレングリコール（ＳＰ値：１１．５）、１，２−ヘキサンジオール（ＳＰ値：１１．８）、トリエチレングリコール−ｎ−ブチルエーテル（ＳＰ値：９．８）、トリプロピレングリコール−ｎ−ブチルエーテル（ＳＰ値：９．２）等があげられる。
【００１９】
前記第２の水溶性有機溶剤は、１種類を単独で用いてもよいし、２種類以上を併用してもよい。前記洗浄液全量における前記第２の水溶性有機溶剤の含有量（Ｂ）については、後述する。
【００２０】
前記洗浄液に含まれる水溶性有機溶剤は、前記第１の水溶性有機溶剤及び前記第２の水溶性有機溶剤のみであってもよい。また、前記洗浄液は、前記第１の水溶性有機溶剤及び前記第２の水溶性有機溶剤に加え、さらに、それら以外の水溶性有機溶剤を含んでもよい。前記洗浄液において、水溶性有機溶剤全量に占める前記第１の水溶性有機溶剤及び前記第２の水溶性有機溶剤の質量割合は、例えば、５０質量％以上、１００質量％である。
【００２１】
前記水は、イオン交換水又は純水であることが好ましい。前記洗浄液全量における前記水の含有量は、例えば、１０質量％〜９０質量％、２０質量％〜８０質量％である。前記水の含有量は、例えば、他の成分の残部としてもよい。
【００２２】
前記洗浄液は、着色剤を含まないことが好ましいが、着色剤を含んでもよい。前記洗浄液が着色剤を含む場合には、記録画像に影響を与えない程度の量であることが好ましい。
【００２３】
前記洗浄液は、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００２４】
前記洗浄液は、例えば、前記非イオン性界面活性剤と、前記第１の水溶性有機溶剤と、前記第２の水溶性有機溶剤と、前記水とを、従来公知の方法で均一に混合することにより調製できる。
【００２５】
前記洗浄液は、下記条件（１）〜（４）を満たす。前記洗浄液は、前記非イオン性界面活性剤と、前記第１の水溶性有機溶剤と、前記第２の水溶性有機溶剤とを、下記条件（１）〜（４）を満たすように含有することで、疎水性の記録媒体への濡れ性が良好な水性インクを用いたインクジェット記録装置のメンテナンス時に、流路の閉塞及びノズル詰まりを抑制可能である。
条件（１）：Ｘ≧０．１
条件（２）：Ａ−Ｂ≧０
条件（３）：Ｂ／Ｘ≧１５
条件（４）：１０≦Ａ＋Ｂ≦６０
Ｘ：前記洗浄液全量における前記非イオン性界面活性剤の含有量（質量％）
Ａ：前記洗浄液全量における前記第１の水溶性有機溶剤の含有量（質量％）
Ｂ：前記洗浄液全量における前記第２の水溶性有機溶剤の含有量（質量％）
【００２６】
前記非イオン性界面活性剤の含有量（Ｘ）、前記第１の水溶性有機溶剤の含有量（Ａ）及び前記第２の水溶性有機溶剤の含有量（Ｂ）は、前記条件（１）〜（４）を満たすように、適宜調整すればよいが、例えば、下記のとおりである。
【００２７】
前記非イオン性界面活性剤の含有量（Ｘ）は、例えば、０．１質量％〜１．５質量％、０．１質量％〜１質量％、０．１質量％〜０．５質量％である。
【００２８】
前記第１の水溶性有機溶剤の含有量（Ａ）は、例えば、５質量％〜３０質量％、５質量％〜２０質量％である。
【００２９】
前記第２の水溶性有機溶剤の含有量（Ｂ）は、例えば、５質量％〜３０質量％、５質量％〜２０質量％、５質量％〜１５質量％である。
【００３０】
前記洗浄液は、例えば、水に不溶性の粒子と、水と、を含む水性インクと共に用いられてもよい。
【００３１】
前記水に不溶性の粒子としては、例えば、顔料、顔料分散用樹脂（樹脂分散剤）、樹脂微粒子等があげられる。
【００３２】
前記顔料は、特に限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても、水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７４、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１５０、１６６、１６８、１７５、１７６、１７７、１７８、１８４、１８５、１９０、２０２、２０９、２２１、２２２、２２４及び２３８；Ｃ．Ｉ．ピグメントバイオレット１９及び１９６；Ｃ．Ｉ．ピグメントブルー１、２、３、１５、１５：１、１５：２、１５：３、１５：４、１６、２２及び６０；Ｃ．Ｉ．ピグメントグリーン７及び３６；並びにこれらの顔料の固溶体等があげられる。前記水性インクは、前記顔料を分散剤で水に分散させたものであってもよい。前記分散剤としては、例えば、一般的な高分子分散剤（顔料分散用樹脂、樹脂分散剤）等を用いてよく、自家調製してもよい。また、前記水性インクにおいて、前記顔料は、高分子によりカプセル化されたものであってもよい。
【００３３】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びこれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラック等があげられる。前記自己分散型顔料は、例えば、市販品を用いてもよい。前記市販品としては、例えば、キャボット・コーポレーション社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インク製造（株）製の「ＬＩＯＪＥＴ（登録商標）ＷＤ  ＢＬＡＣＫ  ００２Ｃ」等があげられる。
【００３４】
前記水性インク全量における前記顔料の固形分含有量（顔料固形分量）は、特に限定されず、例えば、所望の光学濃度及び彩度等により、適宜決定できる。前記顔料固形分量は、例えば、０．１質量％〜２０質量％、１質量％〜１５質量％、２質量％〜１０質量％である。
【００３５】
前記顔料は、例えば、着色剤として機能し得る。
【００３６】
前記水性インクは、前記着色剤として、前記顔料に加え若しくは代えて、染料を含んでもよい。
【００３７】
前記染料は、特に限定されず、例えば、直接染料、酸性染料、塩基性染料、反応性染料、食用染料等があげられる。前記染料の具体例としては、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット、Ｃ．Ｉ．リィアクティブブルー、Ｃ．Ｉ．リィアクティブレッド、Ｃ．Ｉ．リィアクティブイエロー、Ｃ．Ｉ．フードブラック、Ｃ．Ｉ．フードレッド、Ｃ．Ｉ．フードイエロー等があげられる。前記Ｃ．Ｉ．ダイレクトブラックとしては、例えば、Ｃ．Ｉ．ダイレクトブラック１７、１９、２２、３１、３２、５１、６２、７１、７４、１０８、１１２、１１３、１４６、１５４、１６８及び１９５等があげられる。前記Ｃ．Ｉ．ダイレクトブルーとしては、例えば、Ｃ．Ｉ．ダイレクトブルー１、６、１５、２２、２５、４１、７１、７６、７７、８０、８６、９０、９８、１０６、１０８、１２０、１５８、１６３、１６８、１９９及び２２６等があげられる。前記Ｃ．Ｉ．ダイレクトレッドとしては、例えば、Ｃ．Ｉ．ダイレクトレッド１、２、４、９、１１、１７、２０、２３、２４、２８、３１、３９、４６、６２、７５、７９、８０、８３、８９、９５、１９７、２０１、２１８、２２０、２２４、２２５、２２６、２２７、２２８、２２９及び２３０等があげられる。前記Ｃ．Ｉ．ダイレクトイエローとしては、例えば、Ｃ．Ｉ．ダイレクトイエロー８、１１、１２、２４、２６、２７、２８、３３、３９、４４、５０、５８、８５、８６、８７、８８、８９、９８、１００、１１０、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、４８、５１、５２、６３、１１０、１１２、１１５、１１８及び１５６等があげられる。前記Ｃ．Ｉ．アシッドブルーとしては、例えば、Ｃ．Ｉ．アシッドブルー１、７、９、１５、２２、２３、２５、２９、４０、４３、５９、６２、７４、７８、８０、９０、９３、１００、１０２、１０４、１１７、１２０、１２７、１３８、１５８、１６１、１６７、２２０及び２３４等があげられる。前記Ｃ．Ｉ．アシッドレッドとしては、例えば、Ｃ．Ｉ．アシッドレッド１、６、８、９、１３、１４、１８、２６、２７、３２、３５、３７、４２、５１、５２、８０、８３、８５、８７、８９、９２、９４、１０６、１１４、１１５、１３３、１３４、１４５、１５８、１８０、１９８、２４９、２５６、２６５、２８９、３１５及び３１７等があげられる。前記Ｃ．Ｉ．アシッドイエローとしては、例えば、Ｃ．Ｉ．アシッドイエロー１、３、７、１１、１７、２３、２５、２９、３６、３８、４０、４２、４４、６１、７１、７６、９８及び９９等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．リィアクティブブルーとしては、例えば、Ｃ．Ｉ．リィアクティブブルー４、５、７、１３、１４、１５、１８、１９、２１、２６、２７、２９、３２、３８、４０、４４及び１００等があげられる。前記Ｃ．Ｉ．リィアクティブレッドとしては、例えば、Ｃ．Ｉ．リィアクティブレッド７、１２、１３、１５、１７、２０、２３、２４、３１、４２、４５、４６及び５９等があげられる。前記Ｃ．Ｉ．リィアクティブイエローとしては、例えば、Ｃ．Ｉ．リィアクティブイエロー２、３、１７、２５、３７及び４２等があげられる。前記Ｃ．Ｉ．フードブラックとしては、例えば、Ｃ．Ｉ．フードブラック１及び２等があげられる。前記Ｃ．Ｉ．フードレッドとしては、例えば、Ｃ．Ｉ．フードレッド８７、９２及び９４等があげられる。前記Ｃ．Ｉ．フードイエローとしては、例えば、Ｃ．Ｉ．フードイエロー３等があげられる。
【００３８】
前記染料は、１種類を単独で用いてもよいし、２種類以上を併用してもよい。前記水性インク全量における前記染料の含有量は、例えば、０．１質量％〜２０質量％、１質量％〜１５質量％、２質量％〜１０質量％である。
【００３９】
前記水性インクは、前記着色剤を含む有色インクであってもよいし、前記着色剤を含まない無色のインクであってもよい。
【００４０】
前記樹脂微粒子のガラス転移温度（Ｔｇ）は、例えば、−６０℃〜１５０℃、２０℃〜１００℃、５５℃以下である。前記樹脂微粒子は、例えば、樹脂エマルションに含まれるものであってもよい。前記樹脂エマルションは、例えば、前記樹脂微粒子と、分散媒（例えば、水）とで構成されるものであり、前記樹脂微粒子は、前記分散媒に対して溶解状態ではなく、特定の粒子径を持って分散している。前記樹脂微粒子としては、例えば、アクリル酸系樹脂、マレイン酸系エステル樹脂、酢酸ビニル系樹脂、カーボネート型樹脂、ポリカーボネート型樹脂、スチレン系樹脂、エチレン系樹脂、ポリエチレン系樹脂、プロピレン系樹脂、ポリプロピレン系樹脂、ウレタン系樹脂、ポリウレタン系樹脂及びこれらの共重合体樹脂等があげられる。前記樹脂微粒子は、１種類を単独で用いてもよいし、２種類以上を併用してもよい。
【００４１】
前記樹脂エマルションとしては、例えば、市販品を用いてもよい。前記市販品としては、例えば、ジャパンコーティングレジン（株）製の「モビニール（登録商標）６９６９Ｄ」（Ｔｇ：７１℃）、「モビニール（登録商標）５４５０」（Ｔｇ：５３℃）、「モビニール（登録商標）ＤＭ７７２」（Ｔｇ：２２℃）；昭和電工（株）製の「ポリゾール（登録商標）ＡＰ−３７７０」；第一工業製薬（株）製の「スーパーフレックス（登録商標）１５０」（Ｔｇ：４０℃）等があげられる。
【００４２】
前記樹脂微粒子の平均粒子径は、例えば、５ｎｍ〜５００ｎｍ、２０ｎｍ〜３００ｎｍ、３０ｎｍ〜２００ｎｍである。前記平均粒子径は、例えば、（株）堀場製作所製の動的光散乱式粒径分布測定装置「ＬＢ−５５０」を用いて、算術平均径として測定可能である。
【００４３】
前記水性インク全量における前記樹脂微粒子の含有量は、例えば、０．１質量％〜３０質量％、０．５質量％〜２０質量％、１質量％〜１０質量％である。前記樹脂微粒子は、１種類を単独で用いてもよいし、２種類以上を併用してもよい。
【００４４】
前記水性インクにおける前記水は、イオン交換水又は純水であることが好ましい。前記水性インク全量における前記水の含有量は、例えば、１０質量％〜９０質量％、２０質量％〜８０質量％である。前記水の含有量は、例えば、他の成分の残部としてもよい。
【００４５】
前記水性インクは、さらに、前記洗浄液におけるのと同様の界面活性剤及び水溶性有機溶剤を含んでもよい。
【００４６】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００４７】
前記水性インクは、例えば、前記水に不溶性の粒子と、前記水と、必要に応じて他の添加成分とを、従来公知の方法で均一に混合し、フィルタ等で不溶解物を除去することにより調製できる。
【００４８】
本発明によれば、前記洗浄液及び前記水性インクのセットも、提供可能である。
【００４９】
例えば、前記洗浄液は、前記インクジェット記録装置内で、インクジェットヘッド、インク流路、及び、前記インクジェットヘッドのノズル形成面に接触して前記インクを拭き取るワイパー等の洗浄に利用可能である。
【００５０】
つぎに、本発明のインクジェット記録装置及びインクジェット記録装置の洗浄方法について説明する。
【００５１】
本発明のインクジェット記録装置は、インク収容部と、インクジェットヘッドと、前記インク収容部と前記インクジェットヘッドとの間に設けられたインク流路と、を含み、前記インク収容部に収容されたインクを前記インクジェットヘッドによって吐出するインクジェット記録装置であって、さらに、洗浄液供給手段を含み、前記洗浄液供給手段は、前記インクジェットヘッド及び前記インク流路に、本発明の洗浄液を供給可能であることを特徴とする。本発明のインクジェット記録装置は、さらに、前記インクジェットヘッドのノズル形成面に接触して前記インクを拭き取るワイパーを含み、前記洗浄液供給手段は、前記ワイパーに、本発明の洗浄液を供給可能であってもよい。また、後述のように、本発明のインクジェット記録装置は、さらに、前記インクによる記録部分を乾燥させる乾燥手段を含んでもよい。
【００５２】
本発明のインクジェット記録装置の洗浄方法は、インク収容部と、インクジェットヘッドと、前記インク収容部と前記インクジェットヘッドとの間に設けられたインク流路と、を含むインクジェット記録装置の洗浄方法であって、洗浄液供給手段で本発明の洗浄液を供給することで、前記インクジェットヘッド及び前記インク流路を洗浄することを特徴とする。本発明の洗浄方法において、前記インクジェット記録装置が、さらに、前記インクジェットヘッドのノズル形成面に接触して前記インクを拭き取るワイパーを含み、前記洗浄液供給手段で前記洗浄液を供給することで、前記ワイパーを洗浄してもよい。
【００５３】
図１の模式図に、本発明のインクジェット記録装置の一例の構成を示す。図１に示すように、このインクジェット記録装置１００は、給紙トレイ１０１、ローラ等の搬送機構（図示せず）、記録機構１０２Ａ及び１０２Ｂ、プラテン１０３、乾燥手段１０４、排紙トレイ１０５、並びに、インクカートリッジ又はインクタンク等のインク収容部（図示せず）を備えている。給紙トレイ１０１は、積層された複数の記録媒体（例えば、コート紙）Ｐを支持可能である。
【００５４】
前記記録機構は、キャリッジ１０２Ａと、インクジェットヘッド（インク吐出手段）１０２Ｂと、を備えている。キャリッジ１０２Ａは、記録媒体Ｐの搬送方向と垂直に延設された２本のガイドレール（図示せず）に支持されている。前記２本のガイドレールは、インクジェット記録装置１００の筐体（図示せず）に支持されている。キャリッジ１０２Ｂは、前記２本のガイドレールに設けられた公知のベルト機構（図示せず）に連結されている。このベルト機構は、キャリッジモータ（図示せず）によって駆動される。前記ベルト機構に連結されたキャリッジ１０２Ａは、前記キャリッジモータの駆動によって、記録媒体Ｐの搬送方向と垂直方向に往復移動する。
【００５５】
また、キャリッジ１０２Ａからは、前記インク収容部及びインクジェットヘッド１０２Ｂを接続する４本のインクチューブ（図示せず）と、制御基板（図示せず）及びインクジェットヘッド１０２Ｂを電気的に接続するフレキシブルフラットケーブル（図示せず）とが延出されている。前記４本のインクチューブは、前記インク収容部に収容されたイエロー、マゼンタ、シアン及びブラックの４色の水性インクをインクジェットヘッド１０２Ｂに供給する。例えば、前記４色の水性インクのうちの少なくとも１つが、本発明のセットを構成するインクジェット記録用水性インクである。前記フレキシブルフラットケーブルは、前記制御基板から出力される制御信号をインクジェットヘッド１０２Ｂに伝達する。
【００５６】
インクジェットヘッド１０２Ｂは、図１に示すように、キャリッジ１０２Ａに搭載されている。インクジェットヘッド１０２Ｂの下面には、複数のノズル１０２Ｃが形成されている。複数のノズル１０２Ｃの先端は、キャリッジ１０２Ａ及びインクジェットヘッド１０２Ｂの下面から露出されている。インクジェットヘッド１０２Ｂは、前記インク収容部から前記インクチューブを介してインクジェットヘッド１０２Ｂに供給された水性インクを吐出する力を付与するためのアクチュエータ（図示せず）を有している。前記アクチュエータは、圧電素子方式、サーマルインク方式、静電吸引方式等、いかなる方式であってもよい。キャリッジ１０２Ａが記録媒体Ｐの搬送方向と垂直方向に往復移動する過程において、インクジェットヘッド１０２Ｂは、複数のノズル１０２Ｃから水性インクを微小なインク滴として吐出する。これにより、記録媒体Ｐに画像が記録される。インクジェット記録装置１００は、記録が終了するとリセット位置に戻されるインクジェットヘッド１０２Ｂの複数のノズル１０２Ｃが形成された面を拭き取るワイパー（図示せず）を有してもよい。プラテン１０３は、前記記録機構と対向するように配置されており、給紙トレイ１０１から搬送されてきた記録媒体Ｐを支持する。
【００５７】
乾燥手段１０４は、記録媒体Ｐの記録部分を加熱乾燥する。この乾燥時の温度は、乾燥手段１０４の設定変更により適宜調整可能であり、具体的には、例えば、２０℃〜２００℃、５０℃〜１００℃である。また、前記乾燥の時間も、乾燥手段１０４の設定変更により適宜調整可能であり、例えば、０秒を超えて３００秒以下、０．１秒〜６０秒、３０秒〜６０秒である。乾燥手段１０４は、前記記録部分を乾燥可能なものであればいかなるものであってもよい。乾燥手段１０４としては、例えば、市販のドライヤー、赤外線ヒーター、オーブン、ベルトコンベアオーブン、アイロン、ホットプレス機等があげられ、ドライヤー、赤外線ヒーター、オーブン、ベルトコンベアオーブン等の記録媒体Ｐの記録部分に接触することなく前記記録部分を乾燥する非接触乾燥手段が好ましい。
【００５８】
記録・乾燥後の記録媒体Ｐは、排紙トレイ１０５へと搬送される。
【００５９】
前記洗浄液供給手段は、インクジェットヘッド１０２Ｂ、前記インクチューブ及び前記ワイパー等に前記洗浄液を供給し、洗浄する。前記洗浄液供給手段は、インクジェットヘッド１０２Ｂ、前記インクチューブ及び前記ワイパー等に前記洗浄液を供給可能であればいかなるものであってもよい。
【実施例】
【００６０】
つぎに、本発明の実施例について比較例と併せて説明する。なお、本発明は、下記の実施例及び比較例により限定及び制限されない。
【００６１】
〔樹脂分散剤の調製〕
滴下漏斗、冷却器及び攪拌機を備えたフラスコに、窒素雰囲気下にて、Ｔｅｒａｔｈａｎｅ（登録商標）６５０（Ｉｎｖｉｓｔａ（Ｗｉｃｈｉｔａ，ＫＳ）製のポリエーテルジオール）１３５ｇ、２，２’−ジメチロールプロパン酸（ＤＭＰＡ）５４ｇ、スルホラン１３２ｇ及びジブチルスズジラウレート（ＤＢＴＤＬ）０．０６ｇを加え、混合しながら６０℃に加熱し、更に十分に混合した。この混合物に、ｍ−テトラメチレンキシリレンジイソシアネート（ＴＭＸＤＩ）１６４ｇを滴下漏斗によって加え、滴下漏斗中の残存ＴＭＸＤＩをスルホラン１５ｇでフラスコ中にリンスした。温度を１００℃に上げ、イソシアネート含有率が１．３質量％以下に達するまで１００℃に維持した。つぎに、温度を６０℃まで下げ、ジエタノールアミン（ＤＥＡ）１２．９ｇを５分に亘って滴下漏斗によって加え、滴下漏斗中の残存ＤＥＡをスルホラン５ｇでフラスコ中にリンスするまでの間、６０℃に維持した。さらに、温度を６０℃に１時間保持した後、３質量％水酸化カリウム水溶液３７６ｇを滴下漏斗によって１０分に亘って加え、さらに、脱イオン水５７０ｇを加えた。その後、６０℃に１時間維持し、室温に冷却して、固形分が２４質量％の樹脂分散剤を得た。
【００６２】
〔顔料分散液Ａの調製〕
前記樹脂分散剤を、水への溶解度を高め、水への溶解を容易にするために、水酸化カリウム又はアミンのいずれかで中和した。つぎに、高圧圧縮空気式Ｍｉｃｒｏｆｌｕｉｄｉｚｅｒ（Ｍｏｄｅｌ  Ｍ−１１０Ｙ、Ｍｉｃｒｏｆｌｕｉｄｉｃｓ  ｏｆ  Ｎｅｗｔｏｎ（Ｍａｓｓａｃｈｕｓｅｔｔｓ）製）を用いて、カーボンブラックの含有量が約２７質量％であり、カーボンブラックの含有量（Ｐ）と、樹脂分散剤の含有量（Ｄ）との質量比が、Ｐ／Ｄ＝３の混合物を製造した。その後、最適媒体ミル粉砕条件のために、脱イオン水の添加によって、カーボンブラックの含有量を約２４質量％とし、４時間かけて粉砕した。粉砕後、脱イオン水を加え、十分に混合した。つぎに、不純物をろ過して取り除いた後、脱イオン水での希釈によって、カーボンブラックの含有量を４．５質量％とすることにより、顔料分散液Ａを得た。
【００６３】
〔顔料分散液Ｂの調製〕
高圧圧縮空気式Ｍｉｃｒｏｆｌｕｉｄｉｚｅｒに代えて、Ｅｉｇｅｒ  Ｍｉｎｉｍｉｌｌ（Ｍｏｄｅｌ  Ｍ２５０，ＶＳＥ  ＥＸＰ、Ｅｉｇｅｒ  Ｍａｃｈｉｎｅｒｙ  Ｉｎｃ．（Ｃｈｉｃａｇｏ，Ｉｌｌｉｎｏｉｓ）製）を用いたこと、カーボンブラックに代えて、フタロシアニン顔料を用いたこと、及び、フタロシアニン顔料の含有量を３質量％としたこと以外は、顔料分散液Ａの調製と同様にして、顔料分散液Ｂを得た。
【００６４】
〔水性インク１〜３の調製〕
インク組成（表１）における、ＣＡＢ―Ｏ−ＪＥＴ（登録商標）３００、顔料分散液Ａ又は顔料分散液Ｂを除く成分を、均一に混合しインク溶媒を得た。つぎに、ＣＡＢ−Ｏ−ＪＥＴ（登録商標）３００、顔料分散液Ａ又は顔料分散液Ｂに、前記インク溶媒を加え、均一に混合した。その後、得られた混合物を、東洋濾紙（株）製のセルロースアセテートタイプメンブレンフィルタ（孔径３．００μｍ）でろ過することで、表１に示すインクジェット記録用水性インク１〜３を得た。
【００６５】
〔水性インク４の調製〕
インク組成（表１）の各成分を、均一に混合した。その後、得られた混合物を、東洋濾紙（株）製のポリテトラフルオロエチレン（ＰＴＦＥ）タイプメンブレンフィルタ（孔径：０．２０μｍ）を用いてろ過することで、表１に示すインクジェット記録用水性インク４を得た。水性インク４は、着色剤を含まない無色のインク（クリアインク）である。
【００６６】
【表１】
2020196781.tif 000002
【００６７】
［実施例１〜８及び比較例１〜５］
洗浄液組成（表２）の各成分を均一に混合して、表２に示す実施例１〜８及び比較例１〜５の洗浄液を得た。
【００６８】
実施例１〜８及び比較例１〜５の洗浄液について、（ａ）ワイパー洗浄評価及び（ｂ）水性インクとの接触凝集評価を、下記方法により実施した。
【００６９】
（ａ）ワイパー洗浄評価
実施例及び比較例の洗浄液で湿らせたワイパーの撥水処理面の液残りを目視観察し、下記評価基準に従って評価した。
【００７０】
ワイパー洗浄評価  評価基準
ＡＡ：撥水処理面に、目立った液残りは無かった。
Ａ  ：撥水処理面に、ごく少量の液残りがあった。
Ｂ  ：撥水処理面に、多くの液残りがあった。
【００７１】
（ｂ）水性インクとの接触凝集評価
３０％相当を蒸発させた後の実施例及び比較例の洗浄液と、前記水性インク１〜４のいずれかとを接触させ、接触界面を目視観察し、下記評価基準に従って評価した。
【００７２】
水性インクとの接触凝集評価  評価基準
ＡＡ：前記接触界面に、凝集物が無かった。
Ａ  ：前記接触界面に、ごく微量の凝集物があった。
Ｂ  ：前記接触界面に、大きな凝集物があった。
【００７３】
実施例１〜８及び比較例１〜５の洗浄液組成及び評価結果を、表２に示す。
【００７４】
【表２】
2020196781.tif 000003
【００７５】
表２に示すとおり、実施例１〜８では、ワイパー洗浄及び水性インクとの接触凝集の評価結果が良好であった。
【００７６】
一方、Ｂ／Ｘ＜１５であり、前記条件（３）を満たさない比較例１及び５では、ワイパー洗浄の評価結果が悪く、前記水性インク１〜４の一部又は全てとの接触凝集の評価結果が悪かった。また、Ａ−Ｂ＜０及びＢ／Ｘ＜１５であり、前記条件（２）及び前記条件（３）を満たさない比較例２では、前記水性インク１〜４の一部との接触凝集の評価結果が悪かった。そして、Ｂ／Ｘ＜１５であり、前記条件（３）を満たさない比較例３では、前記水性インク１〜４の一部との接触凝集の評価結果が悪かった。さらに、Ｂ／Ｘ＜１５及びＡ＋Ｂ＞６０であり、前記条件（３）及び前記条件（４）を満たさない比較例４では、ワイパー洗浄の評価結果が悪く、前記水性インク１〜４の全てとの接触凝集の評価結果が悪かった。
【００７７】
上記実施形態及び実施例の一部又は全部は、以下の付記のようにも記載し得るが、以下には限定されない。
（付記１）
インクジェット記録装置の洗浄に用いられる洗浄液であって、
２０℃の水への溶解度が０．２質量％未満である非イオン性界面活性剤と、
溶解度パラメータ（ＳＰ値）が１３以上である第１の水溶性有機溶剤と、
溶解度パラメータ（ＳＰ値）が１２未満である第２の水溶性有機溶剤と、
水と、
を含み、
下記条件（１）〜（４）を満たす、
ことを特徴とする洗浄液。
条件（１）：Ｘ≧０．１
条件（２）：Ａ−Ｂ≧０
条件（３）：Ｂ／Ｘ≧１５
条件（４）：１０≦Ａ＋Ｂ≦６０
Ｘ：前記洗浄液全量における前記非イオン性界面活性剤の含有量（質量％）
Ａ：前記洗浄液全量における前記第１の水溶性有機溶剤の含有量（質量％）
Ｂ：前記洗浄液全量における前記第２の水溶性有機溶剤の含有量（質量％）
（付記２）
前記第１の水溶性有機溶剤が、グリセリン、ジエチレングリコール及びプロピレングリコールからなる群から選択される少なくとも一つを含む、付記１記載の洗浄液。
（付記３）
前記第２の水溶性有機溶剤が、トリプロピレングリコール、１，２−ヘキサンジオール、トリエチレングリコール−ｎ−ブチルエーテル及びトリプロピレングリコール−ｎ−ブチルエーテルからなる群から選択される少なくとも一つを含む、付記１又は２記載の洗浄液。
（付記４）
水に不溶性の粒子と、水と、を含むインクジェット記録用水性インクと共に用いられる、付記１〜３のいずれかに記載の洗浄液。
（付記５）
前記インクジェット記録装置内で、インクジェットヘッド、インク流路、及び、前記インクジェットヘッドのノズル形成面に接触してインクを拭き取るワイパーからなる群から選択される少なくとも一つの洗浄に用いられる、付記１〜４のいずれかに記載の洗浄液。
（付記６）
付記１〜５のいずれかに記載の洗浄液と、
水に不溶性の粒子と、水と、を含むインクジェット記録用水性インクとのセット。
（付記７）
インク収容部と、インクジェットヘッドと、前記インク収容部と前記インクジェットヘッドとの間に設けられたインク流路と、を含み、
前記インク収容部に収容されたインクを前記インクジェットヘッドによって吐出するインクジェット記録装置であって、
さらに、洗浄液供給手段を含み、
前記洗浄液供給手段は、前記インクジェットヘッド及び前記インク流路に、付記１〜５のいずれかに記載の洗浄液を供給可能である、
ことを特徴とするインクジェット記録装置。
（付記８）
さらに、前記インクジェットヘッドのノズル形成面に接触して前記インクを拭き取るワイパーを含み、
前記洗浄液供給手段は、前記ワイパーに、前記洗浄液を供給可能である、付記７記載のインクジェット記録装置。
（付記９）
さらに、前記インクによる記録部分を乾燥させる乾燥手段を含む、付記７又は８記載のインクジェット記録装置。
（付記１０）
インク収容部と、インクジェットヘッドと、前記インク収容部と前記インクジェットヘッドとの間に設けられたインク流路と、を含むインクジェット記録装置の洗浄方法であって、
洗浄液供給手段で付記１〜５のいずれかに記載の洗浄液を供給することで、前記インクジェットヘッド及び前記インク流路を洗浄する、
ことを特徴とする洗浄方法。
（付記１１）
前記インクジェット記録装置が、さらに、前記インクジェットヘッドのノズル形成面に接触して前記インクを拭き取るワイパーを含み、
前記洗浄液供給手段で前記洗浄液を供給することで、前記ワイパーを洗浄する、付記１０記載の洗浄方法。
【産業上の利用可能性】
【００７８】
以上のように、本発明の洗浄液は、疎水性の記録媒体への濡れ性が良好な水性インクを用いたインクジェット記録装置のメンテナンス時に、流路の閉塞及びノズル詰まりを抑制可能なものである。本発明の洗浄液の用途は、コート紙等の疎水性の記録媒体へのインクジェット記録に好適な水性インクを用いたインクジェット記録装置のメンテナンスに限定されず、普通紙、光沢紙、マット紙等の各種記録媒体へのインクジェット記録に好適な水性インクを用いたインクジェット記録装置のメンテナンスに広く適用可能である。
【符号の説明】
【００７９】
１００    インクジェット記録装置
１０１    給紙トレイ
１０２Ａ  キャリッジ
１０２Ｂ  インクジェットヘッド（インク吐出手段）
１０２Ｃ  ノズル
１０３    プラテン
１０４    乾燥手段
１０５    排紙トレイ
【図１】
2020196781.tif 000004